(57)【要約】【課題】  近年における合成繊維の紡糸工程や加工工程での高速化にも対応して、毛羽や糸切れならびに染色斑の発生を充分に防止できる合成繊維用処理剤及び合成繊維の処理方法を提供する。【解決手段】  合成繊維用処理剤として、特定の基油組成物を７０重量％以上含有して成るものを用いた。この基油組成物は、Ａ成分として特定のアルキレンオキサイド付加物から選ばれる一つ又は二つ以上を、またＢ成分として他の特定のアルキレンオキサイド付加物から選ばれる一つ又は二つ以上を、更にＣ成分としてイオン性界面活性剤から選ばれる一つ又は二つ以上を、そしてＤ成分として特定の非イオン界面活性剤から選ばれる一つ又は二つ以上を用い、Ａ成分を５０〜９０重量％、Ｂ成分を３〜３０重量％、Ｃ成分を０．１〜１０重量％及びＤ成分を０．１〜２０重量％（合計１００重量％）含有して成るものとした。【選択図】          なし【特許請求の範囲】
【請求項１】
下記の基油組成物を７０重量％以上含有して成ることを特徴とする合成繊維用処理剤。
基油組成物：下記のＡ成分、Ｂ成分、Ｃ成分及びＤ成分から成り、且つ該Ａ成分を５０〜９０重量％、該Ｂ成分を３〜３０重量％、該Ｃ成分を０．１〜１０重量％及び該Ｄ成分を０．１〜２０重量％（合計１００重量％）含有して成るもの
Ａ成分：下記の条件１〜３を同時に満足するアルキレンオキサイド付加物から選ばれる一つ又は二つ以上
条件１：１〜３価の炭素数１〜２４の脂肪族アルコールに炭素数２〜４のアルキレンオキサイドを付加した数平均分子量１０００〜１２０００のアルキレンオキサイド付加物であること
条件２：それを構成する全オキシアルキレン単位の１０〜８０重量％がオキシエチレン単位であるポリオキシアルキレン基を有するアルキレンオキサイド付加物であること
条件３：１価の炭素数６〜１０の脂肪族アルコールにエチレンオキサイド及びプロピレンオキサイドを付加したアルキレンオキサイド付加物を３５重量％以上含有するアルキレンオキサイド付加物であること
Ｂ成分：１価の炭素数６〜１０の脂肪族アルコールにエチレンオキサイド又は、エチレンオキサイド及びプロピレンオキサイドを付加した数平均分子量１４０〜８００のアルキレンオキサイド付加物であって、且つそれを構成する全オキシアルキレン単位の３０重量％以上がオキシエチレン単位であるポリオキシアルキレン基を有するアルキレンオキサイド付加物から選ばれる一つ又は二つ以上
Ｃ成分：イオン性界面活性剤から選ばれる一つ又は二つ以上
Ｄ成分：１価の炭素数１１〜２４の脂肪族アルコールにエチレンオキサイド及びプロピレンオキサイドを付加した数平均分子量２１０〜９５０のエーテル型非イオン界面活性剤、１価の炭素数６〜１０の脂肪族アルコールにエチレンオキサイド又はプロピレンオキサイドを付加した数平均分子量９００〜２０００のエーテル型非イオン界面活性剤、１価の炭素数１１〜２４の脂肪族アルコールにエチレンオキサイド又はプロピレンオキサイドを付加した数平均分子量１５０〜２５００のエーテル型非イオン界面活性剤、１価の炭素数８〜２４の脂肪酸にエチレンオキサイド及び／又はプロピレンオキサイドを付加した数平均分子量２００〜２０００のエステル型非イオン界面活性剤、動植物油脂にエチレンオキサイド及び／又はプロピレンオキサイドを付加した数平均分子量７００〜１００００の非イオン界面活性剤、炭素数８〜２４の脂肪族アミンにエチレンオキサイド及び／又はプロピレンオキサイドを付加した数平均分子量２００〜２５００のアミノエーテル型非イオン界面活性剤、炭素数８〜２４の脂肪族アミドにエチレンオキサイド及び／又はプロピレンオキサイドを付加した数平均分子量２５０〜２５００のアミドエーテル型非イオン界面活性剤、２〜６価の炭素数２〜６の脂肪族アルコールを炭素数８〜２４の脂肪酸で部分エステル化した部分エステル型非イオン界面活性剤及び３〜６価の炭素数３〜６の脂肪族アルコールを炭素数８〜２４の脂肪酸で部分エステル化した部分エステルにエチレンオキサイド及び／又はプロピレンオキサイドを付加した数平均分子量４００〜６０００のエ−テルエステル型非イオン界面活性剤から選ばれる一つ又は二つ以上
【請求項２】
基油組成物を８０重量％以上含有しており、且つ該基油組成物が、Ａ成分を５５〜９０重量％、Ｂ成分を５〜２０重量％、Ｃ成分を０．３〜５重量％及びＤ成分を１〜２０重量％（合計１００重量％）含有して成るものである請求項１記載の合成繊維用処理剤。
【請求項３】
Ａ成分が、下記のＥ成分及びＦ成分を合計５０重量％以上含有しており、且つ該Ｅ成分／該Ｆ成分＝５０／５０〜９０／１０（重量比）の割合で含有するものである請求項１又は２記載の合成繊維用処理剤。
Ｅ成分：１価の炭素数６〜１０の脂肪族アルコールにエチレンオキサイド及びプロピレンオキサイドをエチレンオキサイド／プロピレンオキサイド＝３５／６５〜８０／２０（重量比）の割合で付加した数平均分子量１０００〜１２０００のアルキレンオキサイド付加物
Ｆ成分：１価の炭素数１１〜１６の脂肪族アルコールにエチレンオキサイド及びプロピレンオキサイドをエチレンオキサイド／プロピレンオキサイド＝１０／９０〜８０／２０（重量比）の割合で付加した数平均分子量１０００〜１２０００のアルキレンオキサイド付加物
【請求項４】
更に下記のＧ成分を含有しており、且つ基油組成物１００重量部当たり該Ｇ成分を５〜４０重量部の割合で含有する請求項１〜３のいずれか一つの項記載の合成繊維用処理剤。
Ｇ成分：下記の化１で示される脂肪族エステル化合物及び下記の化２で示される脂肪族エステル化合物から選ばれる一つ又は二つ以上
【化１】
2006152526.tif 000024
【化２】
2006152526.tif 000025
（化１及び化２において、
Ｒ１，Ｒ３：炭素数８〜１８の脂肪族モノアルコールから水素原子を除いた残基
Ｒ２：炭素数８〜１８の脂肪族モノカルボン酸から水素原子を除いた残基
Ｒ４：炭素数８〜１８の脂肪族モノカルボン酸から水酸基を除いた残基
Ｘ：合計１〜１０個のオキシエチレン単位及び／又はオキシプロピレン単位で構成された（ポリ）オキシアルキレン基を有する（ポリ）アルキレングリコールから全ての水酸基を除いた残基）
【請求項５】
更に下記のＨ成分及び／又はＩ成分を含有しており、且つ基油組成物１００重量部当たり、該Ｈ成分及び／又はＩ成分を合計０．３〜６重量部の割合で含有する請求項１〜４のいずれか一つの項記載の合成繊維用処理剤。
Ｈ成分：ポリオキシアルキレン変性シリコーン及び／又はジメチルシリコーン
Ｉ成分：フェノール系酸化防止剤、ホスファイト系酸化防止剤及びチオエーテル系酸化防止剤から選ばれる一つ又は二つ以上
【請求項６】
基油組成物１００重量部当たり、Ｇ成分を５〜３０重量部、Ｈ成分を０．５〜３重量部及びＩ成分を０．５〜３重量部の割合で含有する請求項５記載の合成繊維用処理剤。
【請求項７】
Ｈ成分が、ポリオキシアルキレン変性シリコーンである請求項５又は６記載の合成繊維用処理剤。
【請求項８】
Ｉ成分が、フェノール系酸化防止剤である請求項５〜７のいずれか一つの項記載の合成繊維用処理剤。
【請求項９】
請求項１〜８のいずれか一つの項記載の合成繊維用処理剤を合成繊維に対し０．１〜３重量％となるよう付着させることを特徴とする合成繊維の処理方法。
【請求項１０】
合成繊維用処理剤を５〜３０重量％の水性液となし、該水性液を合成繊維に対し該合成繊維用処理剤として０．１〜３重量％となるよう付着させる請求項９記載の合成繊維の処理方法。
【請求項１１】
合成繊維がポリエステル系合成繊維又はポリアミド系合成繊維である請求項９又は１０記載の合成繊維の処理方法。
【発明の詳細な説明】
【技術分野】
【０００１】
本発明は合成繊維用処理剤及び合成繊維の処理方法に関する。近年、合成繊維の紡糸工程や加工工程においては、高速化が更に一段と進み、これに伴って生産糸の毛羽や糸切れならびに織編物での染色斑がますます発生し易くなっている。かかる毛羽や糸切れ、染色斑の発生を防止するため、合成繊維に付着させる合成繊維用処理剤としてこれらを防止するための機能性向上剤の含有割合を増加させたものを使用することや、合成繊維に対する合成繊維用処理剤の付着量を上げることが行われているが、依然として近年の高速化には充分に対応できていない。本発明は、合成繊維の紡糸工程や加工工程における近年の高速化にも対応して、毛羽や糸切れならびに染色斑の発生を充分に防止できる合成繊維用処理剤及び合成繊維の処理方法に関する。
【背景技術】
【０００２】
従来、合成繊維用処理剤として一般に、潤滑剤及び機能性向上剤を含有するものが使用されている。かかる合成繊維用処理剤には、毛羽や糸切れの発生を防止するための機能性向上剤を含有するものも各種が知られている（例えば、特許文献１〜８参照）。ところが、これら従来の合成繊維用処理剤には、近年の高速化された紡糸工程や加工工程において、毛羽や糸切れならびに染色斑の発生を充分に防止できないという問題がある。
【０００３】
【特許文献１】特開昭６０−９９７１号公報
【特許文献２】特開平１−２９８２８１号公報
【特許文献３】特開平２−４７３７２号公報
【特許文献４】特開昭６０−１８１３６８号公報
【特許文献５】特開２０００−１３６４４８号公報
【特許文献６】特開２００１−１４６６８４号公報
【特許文献７】特開平３−９７９６１号公報
【特許文献８】特開平６−２０７３７９号公報
【発明の開示】
【発明が解決しようとする課題】
【０００４】
本発明が解決しようとする課題は、近年における合成繊維の紡糸工程や加工工程での高速化にも対応して、毛羽や糸切れならびに染色斑の発生を充分に防止できる合成繊維用処理剤及び合成繊維の処理方法を提供する処にある。
【課題を解決するための手段】
【０００５】
しかして本発明者らは、前記の課題を解決するべく研究した結果、特定の４成分から成る基油組成物を所定割合で含有する合成繊維用処理剤が正しく好適であり、またかかる合成繊維用処理剤を合成繊維に対し所定量付着させることが正しく好適であることを見出した。
【０００６】
すなわち本発明は、下記の基油組成物を７０重量％以上含有して成ることを特徴とする合成繊維用処理剤に係る。
【０００７】
基油組成物：下記のＡ成分、Ｂ成分、Ｃ成分及びＤ成分から成り、且つ該Ａ成分を５０〜９０重量％、該Ｂ成分を３〜３０重量％、該Ｃ成分を０．１〜１０重量％及び該Ｄ成分を０．１〜２０重量％（合計１００重量％）含有して成るもの
【０００８】
Ａ成分：下記の条件１〜３を同時に満足するアルキレンオキサイド付加物から選ばれる一つ又は二つ以上
【０００９】
条件１：１〜３価の炭素数１〜２４の脂肪族アルコールに炭素数２〜４のアルキレンオキサイドを付加した数平均分子量１０００〜１２０００のアルキレンオキサイド付加物であること
【００１０】
条件２：それを構成する全オキシアルキレン単位の１０〜８０重量％がオキシエチレン単位であるポリオキシアルキレン基を有するアルキレンオキサイド付加物であること
【００１１】
条件３：１価の炭素数６〜１０の脂肪族アルコールにエチレンオキサイド及びプロピレンオキサイドを付加したアルキレンオキサイド付加物を４０重量％以上含有するアルキレンオキサイド付加物であること
【００１２】
Ｂ成分：１価の炭素数６〜１０の脂肪族アルコールにエチレンオキサイド又は、エチレンオキサイド及びプロピレンオキサイドを付加した数平均分子量１４０〜８００のアルキレンオキサイド付加物であって、且つそれを構成する全オキシアルキレン単位の３０重量％以上がオキシエチレン単位であるポリオキシアルキレン基を有するアルキレンオキサイド付加物から選ばれる一つ又は二つ以上
【００１３】
Ｃ成分：イオン性界面活性剤から選ばれる一つ又は二つ以上
【００１４】
Ｄ成分：１価の炭素数１１〜２４の脂肪族アルコールにエチレンオキサイド及びプロピレンオキサイドを付加した数平均分子量２１０〜９５０のエーテル型非イオン界面活性剤、１価の炭素数６〜１０の脂肪族アルコールにエチレンオキサイド又はプロピレンオキサイドを付加した数平均分子量９００〜２０００のエーテル型非イオン界面活性剤、１価の炭素数１１〜２４の脂肪族アルコールにエチレンオキサイド又はプロピレンオキサイドを付加した数平均分子量１５０〜２５００のエーテル型非イオン界面活性剤、１価の炭素数８〜２４の脂肪酸にエチレンオキサイド及び／又はプロピレンオキサイドを付加した数平均分子量２００〜２０００のエステル型非イオン界面活性剤、動植物油脂にエチレンオキサイド及び／又はプロピレンオキサイドを付加した数平均分子量７００〜１００００の非イオン界面活性剤、炭素数８〜２４の脂肪族アミンにエチレンオキサイド及び／又はプロピレンオキサイドを付加した数平均分子量２００〜２５００のアミノエーテル型非イオン界面活性剤、炭素数８〜２４の脂肪族アミドにエチレンオキサイド及び／又はプロピレンオキサイドを付加した数平均分子量２５０〜２５００のアミドエーテル型非イオン界面活性剤、２〜６価の炭素数２〜６の脂肪族アルコールを炭素数８〜２４の脂肪酸で部分エステル化した部分エステル型非イオン界面活性剤及び３〜６価の炭素数３〜６の脂肪族アルコールを炭素数８〜２４の脂肪酸で部分エステル化した部分エステルにエチレンオキサイド及び／又はプロピレンオキサイドを付加した数平均分子量４００〜６０００のエ−テルエステル型非イオン界面活性剤から選ばれる一つ又は二つ以上
【００１５】
また本発明は、本発明に係る合成繊維用処理剤を合成繊維に対し０．１〜３重量％となるよう付着させることを特徴とする合成繊維の処理方法に係る。
【００１６】
先ず、本発明に係る合成繊維用処理剤（以下単に本発明の処理剤という）について説明する。本発明の処理剤は、Ａ成分、Ｂ成分、Ｃ成分及びＤ成分から成る基油組成物を含有して成るものである。かかる基油組成物を構成する成分のうちでＡ成分は条件１〜３を同時に満足するアルキレンオキサイド付加物から選ばれる一つ又は二つ以上である。
【００１７】
Ａ成分について条件１は、アルキレンオキサイド付加物が、１〜３価の炭素数１〜２４の脂肪族アルコールに炭素数２〜４のアルキレンオキサイドを付加した数平均分子量１０００〜１２０００のアルキレンオキサイド付加物であることである。かかる条件１において、１〜３価の炭素数１〜２４の脂肪族アルコールとしては、１）メチルアルコール、エチルアルコール、プロピルアルコール、ブチルアルコール、ペンチルアルコール、ヘキシルアルコール、ヘプチルアルコール、オクチルアルコール、ノニルアルコール、デシルアルコール、ウンデシルアルコール、ドデシルアルコール、トリデシルアルコール、テトラデシルアルコール、ペンタデシルアルコール、ヘキサデシルアルコール、ヘプタデシルアルコール、オクタデシルアルコール、ノナデシルアルコール、エイコシルアルコール、ヘンエイコシルアルコール、ドコシルアルコール、トリコシルアルコール、テトラコシルアルコール等の１価の直鎖飽和脂肪族アルコール、２）イソプロピルアルコール、イソブチルアルコール、イソペンチルアルコール、２−メチル−ペンチルアルコール、２−エチル−ヘキシルアルコール、２−プロピル−ヘプチルアルコール、２−ブチル−オクチルアルコール、２−ペンチル−ノニルアルコール、２−ヘキシル−デシルアルコール、２−ヘプチル−ウンデシルアルコール、２−オクチル−ドデシルアルコール、２−ノニル−トリデシルアルコール、２−デシル−テトラデシルアルコール、２−ウンデシル−ペンタデシルアルコール、２−ドデシル−ヘキサデシルアルコール等の１価の分岐飽和脂肪族アルコール、３）１０−ウンデセニルアルコール、９ｃ−テトラデセニルアルコール、９ｃ−ヘキサデセニルアルコール、９ｃ−オクタデセニルアルコール、９ｔ−オクタデセニルアルコール、９ｃ，１２ｃ−オクタデカジエニルアルコール、９ｃ，１２ｃ，１５ｃ−オクタデカトリエニルアルコール、９ｃ−エイコセニルアルコール、５，８，１１，１４−エイコサテトラエニルアルコール、１３ｃ−ドコセニルアルコール、１３ｔ−ドコセニルアルコール等の１価の直鎖不飽和脂肪族アルコール、４）エチレングリコール、１，２−プロパンジオール、１，３−プロパンジオール、１，４−ブタンジオール、１，６−ヘキサンジオール、ネオペンチルグリコール等の２価の脂肪族アルコール、５）グリセリン、トリメチロールプロパン等の３価の脂肪族アルコール等が挙げられる。
【００１８】
また条件１において、炭素数２〜４のアルキレンオキサイドとしては、エチレンオキサイド、プロピレンオキサイド、１，２−ブチレンオキサイド、１，４−ブチレンオキサイド等が挙げられるが、なかでもエチレンオキサイド、プロピレンオキサイドが好ましい。これらのアルキレンオキサイドは単独で又は混合で使用できる。混合で用いる場合、１〜３価の炭素数１〜２４の脂肪族アルコールに対するアルキレンオキサイドの付加形態としては、ランダム付加、ブロック付加、ランダム・ブロック付加が挙げられる。
【００１９】
以上説明した条件１を満足するアルキレンオキサイド付加物は、いずれも数平均分子量が１０００〜１２０００のものとするが、１０００〜１００００のものとするのが好ましい。
【００２０】
Ａ成分について条件２は、アルキレンオキサイド付加物が、それを構成する全オキシアルキレン単位の１０〜８０重量％がオキシエチレン単位であるポリオキシアルキレン基を有するアルキレンオキサイド付加物であることである。
【００２１】
Ａ成分について条件３は、アルキレンオキサイド付加物が、１価の炭素数６〜１０の脂肪族アルコールにエチレンオキサイド及びプロピレンオキサイドを付加したアルキレンオキサイド付加物を４０重量％以上含有するアルキレンオキサイド付加物であることである。かかる条件３において、１価の炭素数６〜１０の脂肪族アルコールとしては、１）ヘキシルアルコール、ヘプチルアルコール、オクチルアルコール、ノニルアルコール、デシルアルコール等の直鎖飽和脂肪族アルコール、２）２−メチル−ペンチルアルコール、２−エチル−ヘキシルアルコール、２−プロピル−ヘプチルアルコール等の分岐飽和脂肪族アルコール等が挙げられる。
【００２２】
Ａ成分は以上説明した条件１〜３を同時に満足するアルキレンオキサイド付加物から選ばれる一つ又は二つ以上であるが、なかでもかかるＡ成分としては、下記のＥ成分及びＦ成分を合計５０重量％以上含有しており、且つ該Ｅ成分／該Ｆ成分＝５０／５０〜９０／１０（重量比）の割合で含有するものが好ましい。
Ｅ成分：１価の炭素数６〜１０の脂肪族アルコールにエチレンオキサイド及びプロピレンオキサイドをエチレンオキサイド／プロピレンオキサイド＝３５／６５〜８０／２０（重量比）の割合で付加した数平均分子量１０００〜１２０００のアルキレンオキサイド付加物
Ｆ成分：１価の炭素数１１〜１６の脂肪族アルコールにエチレンオキサイド及びプロピレンオキサイドをエチレンオキサイド／プロピレンオキサイド＝１０／９０〜８０／２０（重量比）の割合で付加した数平均分子量１０００〜１２０００のアルキレンオキサイド付加物
【００２３】
前記のＥ成分において、１価の炭素数６〜１０の脂肪族アルコールとしては、１）ヘキシルアルコール、ヘプチルアルコール、オクチルアルコール、ノニルアルコール、デシルアルコール等の直鎖飽和脂肪族アルコール、２）２−メチル−ペンチルアルコール、２−エチル−ヘキシルアルコール、２−プロピル−ヘプチルアルコール等の分岐飽和脂肪族アルコール等が挙げられる。
【００２４】
前記のＦ成分において、１価の炭素数１１〜１６の脂肪族アルコールとしては、ウンデシルアルコール、ドデシルアルコール、トリデシルアルコール、テトラデシルアルコール、ペンタデシルアルコール、ヘキサデシルアルコール、２−プロピル−ヘプチルアルコール、２−ブチル−オクチルアルコール、２−ペンチル−ノニルアルコール、２−ヘキシル−デシルアルコール、９ｃ−テトラデセニルアルコール、９ｃ−ヘキサデセニルアルコール等が挙げられるが、なかでもドデシルアルコール、トリデシルアルコール、テトラデシルアルコール、ペンタデシルアルコール、ヘキサデシルアルコール等の直鎖脂肪族アルコールを７０モル％以上含有するものが好ましい。
【００２５】
以上説明したＡ成分としてのアルキレンオキサイド付加物それ自体は、公知の方法で合成できる。これには例えば、脂肪族アルコールに、アルカリ触媒存在下で、炭素数２〜４のアルキレンオキサイドを逐次付加重合反応させる方法が挙げられる。
【００２６】
Ｂ成分は、１価の炭素数６〜１０の脂肪族アルコールにエチレンオキサイド又は、エチレンオキサイド及びプロピレンオキサイドを付加したアルキレンオキサイド化合物である。１価の炭素数６〜１０の脂肪族アルコールとしては、１）ヘキシルアルコール、ヘプチルアルコール、オクチルアルコール、ノニルアルコール、デシルアルコール等の直鎖飽和脂肪族アルコール、２）イソオクチルアルコール、２−メチル−ペンチルアルコール、２−エチルヘキシルアルコール、３，３，５−トリメチル−ヘキシルアルコール、２−メチルオクチルアルコール、２−プロピル−ヘプチルアルコール等の分岐飽和脂肪族アルコール等が挙げられる。Ｂ成分としてのアルキレンオキサイド付加物の数平均分子量は、１４０〜８００とするが、２００〜７００とするのが好ましい。またアルキレンオキサイド付加物のポリオキシアルキレン基を構成する全オキシアルキレン単位中のオキシエチレン単位の割合としては、３０重量％以上とするが、５０重量％以上とするのが好ましい。脂肪族アルコールへのエチレンオキサイド及びプロピレンオキサイドの付加形態は特に制限されない。
【００２７】
Ｃ成分は、イオン性界面活性剤である。かかるイオン性界面活性剤としては、従来公知のものが使用できる。これには例えば、１）ドデシルベンゼンスルホン酸ナトリウム等の有機スルホン酸塩、ポリオキシエチレンラウリル硫酸エステルナトリウム等の有機硫酸エステル塩、ポリオキシラウリルホスフェートカリウム等の有機リン酸エステル塩、オレイン酸ナトリウムやアルケニルコハク酸カリウム等の有機脂肪酸塩等のアニオン界面活性剤、２）ラウリルトリメチルアンモニウムエトサルフェート等の第４級アンモニウム塩、２−ヘプタデセニル−ヒドロキシエチルイミダゾリン等のカチオン界面活性剤、３）オクチルジメチルアンモニオアセタート、ラウリルアミノプロピオン酸塩、ラウリルアミンオキサイド等の両性界面活性剤が挙げられるが、なかでもアニオン界面活性剤が好ましい。
【００２８】
Ｄ成分は、特定の非イオン界面活性剤である。かかる非イオン界面活性剤には、１）１価の炭素数１１〜２４の脂肪族アルコールにエチレンオキサイド及びプロピレンオキサイドを付加した数平均分子量２１０〜９５０のエーテル型非イオン界面活性剤、２）１価の炭素数６〜１０の脂肪族アルコールにエチレンオキサイド又はプロピレンオキサイドを付加した数平均分子量９００〜２０００のエーテル型非イオン界面活性剤、３）１価の炭素数１１〜２４の脂肪族アルコールにエチレンオキサイド又はプロピレンオキサイドを付加した数平均分子量１５０〜２５００のエーテル型非イオン界面活性剤、４）１価の炭素数８〜２４の脂肪酸にエチレンオキサイド及び／又はプロピレンオキサイドを付加した数平均分子量２００〜２０００のエステル型非イオン界面活性剤、５）動植物油脂にエチレンオキサイド及び／又はプロピレンオキサイドを付加した数平均分子量７００〜１００００の非イオン界面活性剤、６）炭素数８〜２４の脂肪族アミンにエチレンオキサイド及び／又はプロピレンオキサイドを付加した数平均分子量２００〜２５００のアミノエーテル型非イオン界面活性剤、７）炭素数８〜２４の脂肪族アミドにエチレンオキサイド及び／又はプロピレンオキサイドを付加した数平均分子量２５０〜２５００のアミドエーテル型非イオン界面活性剤、８）２〜６価の炭素数２〜６の脂肪族アルコールを炭素数８〜２４の脂肪酸で部分エステル化した部分エステル型非イオン界面活性剤、９）３〜６価の炭素数３〜６の脂肪族アルコールを炭素数８〜２４の脂肪酸で部分エステル化した部分エステルにエチレンオキサイド及び／又はプロピレンオキサイドを付加した数平均分子量４００〜６０００のエ−テルエステル型非イオン界面活性剤が含まれる。
【００２９】
Ｄ成分について、１価の炭素数１１〜２４の脂肪族アルコールにエチレンオキサイド及びプロピレンオキサイドを付加した数平均分子量２１０〜９５０のエーテル型非イオン界面活性剤としては、α−ウンデシル−ω−ヒドロキシ−ポリオキシエチレンポリオキシプロピレン、α−ドデシル−ω−ヒドロキシ−ポリオキシエチレンポリオキシプロピレン、α−トリデシル−ω−ヒドロキシ−ポリオキシエチレンポリオキシプロピレン、α−テトラデシル−ω−ヒドロキシ−ポリオキシエチレンポリオキシプロピレン、α−ペンタデシル−ω−ヒドロキシ−ポリオキシエチレンポリオキシプロピレン、α−ヘキサデシル−ω−ヒドロキシ−ポリオキシエチレンポリオキシプロピレン、α−ヘプタデシル−ω−ヒドロキシ−ポリオキシエチレンポリオキシプロピレン、α−オクタデシル−ω−ヒドロキシ−ポリオキシエチレンポリオキシプロピレン、α−オクタデセニル−ω−ヒドロキシ−ポリオキシエチレンポリオキシプロピレン、α−ノナデシル−ω−ヒドロキシ−ポリオキシエチレンポリオキシプロピレン、α−エイコシル−ω−ヒドロキシ−ポリオキシエチレンポリオキシプロピレン、α−エイコセニル−ω−ヒドロキシ−ポリオキシエチレンポリオキシプロピレン、α−ドコシル−ω−ヒドロキシ−ポリオキシエチレンポリオキシプロピレン等が挙げられる。
【００３０】
Ｄ成分について、１価の炭素数６〜１０の脂肪族アルコールにエチレンオキサイド又はプロピレンオキサイドを付加した数平均分子量９００〜２０００のエーテル型非イオン界面活性剤としては、α−ヘキシル−ω−ヒドロキシ−ポリオキシエチレン、α−オクチル−ω−ヒドロキシ−ポリオキシエチレン、α−ノニル−ω−ヒドロキシ−ポリオキシエチレン、α−デシル−ω−ヒドロキシ−ポリオキシエチレン、α−ヘキシル−ω−ヒドロキシ−ポリオキシプロピレン、α−オクチル−ω−ヒドロキシ−ポリオキシプロピレン、α−ノニル−ω−ヒドロキシ−ポリオキシプロピレン、α−デシル−ω−ヒドロキシ−ポリオキシプロピレン等が挙げられる。
【００３１】
Ｄ成分について、１価の炭素数１１〜２４の脂肪族アルコールにエチレンオキサイド又はプロピレンオキサイドを付加した数平均分子量１５０〜２５００のエーテル型非イオン界面活性剤としては、α−ウンデシル−ω−ヒドロキシ−ポリオキシエチレン、α−ドデシル−ω−ヒドロキシ−ポリオキシエチレン、α−トリデシル−ω−ヒドロキシ−ポリオキシエチレン、α−テトラデシル−ω−ヒドロキシ−ポリオキシエチレン、α−ペンタデシル−ω−ヒドロキシ−ポリオキシエチレン、α−ヘキサデシル−ω−ヒドロキシ−ポリオキシエチレン、α−ヘプタデシル−ω−ヒドロキシ−ポリオキシエチレン、α−オクタデシル−ω−ヒドロキシ−ポリオキシエチレン、α−オクタデセニル−ω−ヒドロキシ−ポリオキシエチレン、α−ノナデシル−ω−ヒドロキシ−ポリオキシエチレン、α−エイコシル−ω−ヒドロキシ−ポリオキシエチレン、α−エイコセニル−ω−ヒドロキシ−ポリオキシエチレン、α−ドコシル−ω−ヒドロキシ−ポリオキシエチレン、α−ウンデシル−ω−ヒドロキシ−ポリオキシプロピレン、α−ドデシル−ω−ヒドロキシ−ポリオキシプロピレン、α−トリデシル−ω−ヒドロキシ−ポリオキシプロピレン、α−テトラデシル−ω−ヒドロキシ−ポリオキシプロピレン、α−ペンタデシル−ω−ヒドロキシ−ポリオキシプロピレン、α−ヘキサデシル−ω−ヒドロキシ−ポリオキシプロピレン、α−ヘプタデシル−ω−ヒドロキシ−ポリオキシプロピレン、α−オクタデシル−ω−ヒドロキシ−ポリオキシプロピレン、α−オクタデセニル−ω−ヒドロキシ−ポリオキシプロピレン、α−ノナデシル−ω−ヒドロキシ−ポリオキシプロピレン、α−エイコシル−ω−ヒドロキシ−ポリオキシプロピレン、α−エイコセニル−ω−ヒドロキシ−ポリオキシプロピレン、α−ドコシル−ω−ヒドロキシ−ポリオキシプロピレン等が挙げられる。
【００３２】
Ｄ成分について、１価の炭素数８〜２４の脂肪酸にエチレンオキサイド及び／又はプロピレンオキサイドを付加した数平均分子量２００〜２０００のエステル型非イオン界面活性剤としては、カプリル酸（ポリオキシエチレン）、ラウリン酸（ポリオキシエチレン）、ミリスチン酸（ポリオキシエチレン）、パルミチン酸（ポリオキシエチレン）、ステアリン酸（ポリオキシエチレン）、オレイン酸（ポリオキシエチレン）、リノール酸（ポリオキシエチレン）、エルカ酸（ポリオキシエチレン）、リシノール酸（ポリオキシエチレン）、リグノセリン酸（ポリオキシエチレン）、カプリル酸（ポリオキシエチレンポリオキシプロピレン）、ラウリン酸（ポリオキシエチレンポリオキシプロピレン）、ミリスチン酸（ポリオキシエチレンポリオキシプロピレン）、パルミチン酸（ポリオキシエチレンポリオキシプロピレン）、ステアリン酸（ポリオキシエチレンポリオキシプロピレン）、オレイン酸（ポリオキシエチレンポリオキシプロピレン）、リノール酸（ポリオキシエチレンポリオキシプロピレン）、エルカ酸（ポリオキシエチレンポリオキシプロピレン）、リシノール酸（ポリオキシエチレンポリオキシプロピレン）、リグノセリン酸（ポリオキシエチレンポリオキシプロピレン）、ラウリン酸（ポリオキシプロピレン）、ミリスチン酸（ポリオキシプロピレン）、パルミチン酸（ポリオキシプロピレン）、ステアリン酸（ポリオキシプロピレン）、オレイン酸（ポリオキシプロピレン）等が挙げられる。
【００３３】
Ｄ成分について、動植物油脂にエチレンオキサイド及び／又はプロピレンオキサイドを付加した数平均分子量７００〜１００００の非イオン界面活性剤としては、１）大豆油、ヒマワリ油、綿実油、ゴマ油、菜種油、米ヌカ油、ヒマシ油、硬化ヒマシ油、パーム油、パーム核油、ヤシ油等の植物油脂のエチレンオキサイド及び／又はプロピレンオキサイド付加物、２）牛脂、豚脂、羊脂等の動物油脂のエチレンオキサイド及び／又はプロピレンオキサイド付加物が挙げられる。
【００３４】
Ｄ成分について、炭素数８〜２４の脂肪族アミンにエチレンオキサイド及び／又はプロピレンオキサイドを付加した数平均分子量２００〜２５００のアミノエーテル型非イオン界面活性剤としては、Ｎ，Ｎ−ビス（２−ヒドロキシエチル）オクチルアミン、Ｎ，Ｎ−ビス（２−ヒドロキシエチル）ノニルアミン、Ｎ，Ｎ−ビス（２−ヒドロキシエチル）ラウリルアミン、Ｎ，Ｎ−ビス（２−ヒドロキシエチル）ミリスチルアミン、Ｎ，Ｎ−ビス（２−ヒドロキシエチル）セチルアミン、Ｎ，Ｎ−ビス（２−ヒドロキシエチル）ステアリルアミン、Ｎ，Ｎ−ビス（２−ヒドロキシエチル）アラキニルアミン、Ｎ−（２−ヒドロキシエチル）ジオクチルアミン、Ｎ−（２−ヒドロキシエチル）ジノニルアミン、Ｎ−（２−ヒドロキシエチル）ジラウリルアミン、Ｎ−（２−ヒドロキシエチル）ジミリスチルアミン、Ｎ−（２−ヒドロキシエチル）ジセチルアミン、Ｎ−（２−ヒドロキシエチル）ジステアリルアミン、Ｎ，Ｎ−ビス（２−ヒドロキシプロピル）オクチルアミン、Ｎ，Ｎ−ビス（２−ヒドロキシプロピル）ノニルアミン、Ｎ，Ｎ−ビス（２−ヒドロキシプロピル）ラウリルアミン、Ｎ，Ｎ−ビス（ポリオキシエチレン）オクチルアミン、Ｎ，Ｎ−ビス（ポリオキシエチレン）ノニルアミン、Ｎ，Ｎ−ビス（ポリオキシエチレン）ラウリルアミン、Ｎ，Ｎ−ビス（ポリオキシエチレン）ミリスチルアミン、Ｎ，Ｎ−ビス（ポリオキシエチレン）セチルアミン、Ｎ，Ｎ−ビス（ポリオキシエチレン）ステアリルアミン、Ｎ，Ｎ−ビス（ポリオキシエチレン）アラキニルアミン、Ｎ−（ポリオキシエチレン）ジオクチルアミン、Ｎ−（ポリオキシエチレン）ジノニルアミン、Ｎ−（ポリオキシエチレン）ジラウリルアミン、Ｎ−（ポリオキシエチレン）ジミリスチルアミン、Ｎ−（ポリオキシエチレン）ジセチルアミン、Ｎ−（ポリオキシエチレン）ジステアリルアミン、Ｎ，Ｎ−ビス（ポリオキシエチレンポリプロピレン）オクチルアミン、Ｎ，Ｎ−ビス（ポリオキシエチレンポリプロピレン）ノニルアミン、Ｎ，Ｎ−ビス（ポリオキシエチレンポリプロピレン）ラウリルアミン、Ｎ，Ｎ−ビス（ポリオキシエチレンポリプロピレン）ミリスチルアミン、Ｎ，Ｎ−ビス（ポリオキシエチレンポリプロピレン）セチルアミン、Ｎ，Ｎ−ビス（ポリオキシエチレンポリプロピレン）ステアリルアミン、Ｎ，Ｎ−ビス（ポリプロピレン）オクチルアミン、Ｎ，Ｎ−ビス（ポリプロピレン）ノニルアミン、Ｎ，Ｎ−ビス（ポリプロピレン）ラウリルアミン、Ｎ，Ｎ−ビス（ポリプロピレン）ミリスチルアミン、Ｎ，Ｎ−ビス（ポリプロピレン）セチルアミン、Ｎ，Ｎ−ビス（ポリプロピレン）ステアリルアミン等が挙げられる。
【００３５】
Ｄ成分について、炭素数８〜２４の脂肪族アミドにエチレンオキサイド及び／又はプロピレンオキサイドを付加した数平均分子量２５０〜２５００のアミドエーテル型非イオン界面活性剤としては、Ｎ，Ｎ−ビス（ヒドロキシエチル）オクタンアミド、Ｎ，Ｎ−ビス（ヒドロキシエチル）ドデカンアミド、Ｎ，Ｎ−ビス（ヒドロキシエチル）オクタデカンアミド、Ｎ，Ｎ−ビス（ヒドロキシエチル）オクタデセンアミド、Ｎ，Ｎ−ビス（ヒドロキシエチル）ドコサンアミド、Ｎ，Ｎ−ビス（ポリオキシエチレン）オクタンアミド、Ｎ，Ｎ−ビス（ポリオキシエチレン）ドデカンアミド、Ｎ，Ｎ−ビス（ポリオキシエチレン）オクタデカンアミド、Ｎ，Ｎ−ビス（ポリオキシエチレン）オクタデセンアミド、Ｎ，Ｎ−ビス（ポリオキシエチレン）ドコサンアミド、Ｎ，Ｎ−ビス（ポリオキシエチレンポリオキシプロピレン）オクタンアミド、Ｎ，Ｎ−ビス（ポリオキシエチレンポリオキシプロピレン）ドデカンアミド、Ｎ，Ｎ−ビス（ポリオキシエチレンポリオキシプロピレン）オクタデカンアミド、Ｎ，Ｎ−ビス（ポリオキシエチレンポリオキシプロピレン）オクタデセンアミド、Ｎ，Ｎ−ビス（ポリオキシエチレンポリオキシプロピレン）ドコサンアミド、Ｎ，Ｎ−ビス（ポリオキシプロピレン）オクタンアミド、Ｎ，Ｎ−ビス（ポリオキシプロピレン）ドデカンアミド、Ｎ，Ｎ−ビス（ポリオキシプロピレン）オクタデカンアミド、Ｎ，Ｎ−ビス（ポリオキシプロピレン）オクタデセンアミド、Ｎ，Ｎ−ビス（ポリオキシプロピレン）ドコサンアミド等が挙げられる。
【００３６】
Ｄ成分について、２〜６価の炭素数２〜６の脂肪族アルコールを炭素数８〜２４の脂肪酸で部分エステル化した部分エステル型非イオン界面活性剤としては、１）エチレングリコールモノラウラート、エチレングリコールモノパルミタート、エチレングリコールモノオレアート、エチレングリコールベヘナート等の、エチレングリコールの部分エステル、２）プロピレングリコールモノミリスタート、プロピレングリコールモノパルミタート、プロピレングリコールモノステアラート、プロピレングリコールモノオレアート等のプロピレングリコールの部分エステル、３）グリセリンモノラウラート、グリセリンモノパルミタート、グリセリンモノオレアート、グリセリンモノリノレアート、グリセリンジラウラート、グリセリンジオレアート、グリセリンジリノレアート、グリセリンラウラートミリスタート、グリセリンパルミトレアートステアラート等の、グリセリンの部分エステル、４）トリメチロールプロパンモノラウラート、トリメチロールプロパンモノパルミタート、トリメチロールプロパンモノオレアート、トリメチロールプロパンモノベヘナート等の、トリメチロールプロパンの部分エステル、５）ペンタエリスリトールモノミリスタート、ペンタエリスリトールモノミリストレアート、ペンタエリスリトールモノオレアート、ペンタエリスリトールジラウラート、ペンタエリスリトールジリノレアート、ペンタエリスリトールラウラートミリスタート、ペンタエリスリトールトリオレアート、ペンタエリスリトールジラウラートミリスタート、ペンタエリスリトールジパルミトレアートステアラート、ペンタエリスリトールジパルミトレアートオレアート等の、ペンタエリスリトールの部分エステル、６）ジグリセリンモノラウラート、ジグリセリンモノオレアート、ジグリセリンジパルミタート、ジグリセリントリラウラート、ジグリセリンジラウラートミリスタート、ジグリセリンステアラートジパルミトレアート等の、ジグリセリンの部分エステル、７）ソルビタンモノラウラート、ソルビタンモノステアラート、ソルビタンモノオレアート、ソルビタンモノリノレアート、ソルビタンジミリスタート、ソルビタンジパルミタート、ソルビタンジオレアート、ソルビタンパルミトレアート、ソルビタントリパルミタート、ソルビタントリオレアート、ソルビタントリリノレアート、ソルビタンジラウラートミリスタート、ソルビタンジパルミトレアート等の、ソルビタンの部分エステル等、８）トリグリセリンモノラウラート、トリグリセリンモノオレアート、トリグリセリンジオレアート、トリグリセリントリラウラート、トリグリセリントリオレアート、トリグリセリンパルミトレアートジオレアート等の、トリグリセリンの部分エステル、９）テトラグリセリンモノラウラート、テトラグリセリンモノオレアート、テトラグリセリンジオレアート等の、テトラグリセリンの部分エステル、１０）ジペンタエリスリトールモノミリスタート、ジペンタエリスリトールモノリノレアート、ジペンタエリスリトールジオレアート等の、ジペンタエリスリトールの部分エステル等が挙げられる。
【００３７】
Ｄ成分について、３〜６価の炭素数３〜６の脂肪族アルコールを炭素数８〜２４の脂肪酸で部分エステル化した部分エステルにエチレンオキサイド及び／又はプロピレンオキサイドを付加した数平均分子量４００〜６０００のエ−テルエステル型非イオン界面活性剤としては、グリセリン部分エステル、トリメチロールプロパン部分エステル、ペンタエリスリトール部分エステル、ジグリセリン部分エステル、エチレングリコールジグリセリルエーテル部分エステル、ソルビタン部分エステル、トリグリセリン部分エステル、テトラグリセリン部分エステル、ジペンタエリスリトール部分エステル等の部分エステルのエチレンオキサイド及び／又はプロピレンオキサイド付加物が挙げられる。
【００３８】
本発明の処理剤は、以上説明したようなＡ成分を５０〜９０重量％、Ｂ成分を３〜３０重量％、Ｃ成分を０．１〜１０重量％及びＤ成分を０．１〜２０重量％（合計１００重量％）含有する基油組成物を７０重量％以上含有して成るものであるが、該Ａ成分を５５〜９０重量％、該Ｂ成分を５〜２０重量％、該Ｃ成分を０．３〜５重量％及び該Ｄ成分を１〜２０重量％（合計１００重量％）含有する基油組成物を８０重量％以上含有して成るものとするのが好ましい。
【００３９】
本発明の処理剤は、更に下記のＧ成分を含有するものとするのが好ましい。
【００４０】
Ｇ成分：下記の化１で示される脂肪族エステル化合物及び下記の化２で示される脂肪族エステル化合物から選ばれる一つ又は二つ以上
【００４１】
【化１】
2006152526.tif 000002
【００４２】
【化２】
2006152526.tif 000003
【００４３】
化１及び化２において、
Ｒ１，Ｒ３：炭素数８〜１８の脂肪族モノアルコールから水素原子を除いた残基
Ｒ２：炭素数８〜１８の脂肪族モノカルボン酸から水素原子を除いた残基
Ｒ４：炭素数８〜１８の脂肪族モノカルボン酸から水酸基を除いた残基
Ｘ：合計１〜１０個のオキシエチレン単位及び／又はオキシプロピレン単位で構成された（ポリ）オキシアルキレン基を有する（ポリ）アルキレングリコールから全ての水酸基を除いた残基
【００４４】
化１で示される脂肪族エステル化合物において、化１中のＲ１は、オクチルアルコール、ラウリルアルコール、トリデシルアルコール、ミリスチルアルコール、セチルアルコール、ステアリルアルコール、オレイルアルコール等の炭素数８〜１８の脂肪族モノアルコールから水素原子を除いた残基である。また化１中のＲ２は、カプロン酸、カプリル酸、カプリン酸、ウンデカン酸、ラウリン酸、トリデカン酸、ミリスチン酸、ペンタデカン酸、パルミチン酸、ステアリン酸、パルミトレイン酸、オレイン酸、イソオクタン酸、イソヘキサデカン酸、イソオクタデカン酸等の炭素数８〜１８の脂肪族モノカルボン酸から水素原子を除いた残基である。更に化１中のＸは、合計１〜１０個のオキシエチレン単位及び／又はオキシプロピレン単位で構成された（ポリ）オキシアルキレン基を有する（ポリ）アルキレングリコールから全ての水酸基を除いた残基である。かかる残基としては、１）１〜１０個のオキシエチレン単位で構成された（ポリ）オキシエチレン基を有する（ポリ）エチレングリコールから全ての水酸基を除いた残基、２）１〜１０個のオキシプロピレン単位で構成された（ポリ）オキシプロピレン基を有する（ポリ）プロピレングリコールから全ての水酸基を除いた残基、３）合計２〜１０個のオキシエチレン単位及びオキシプロピレン単位で構成された（ポリ）オキシエチレン（ポリ）オキシプロピレン基を有する（ポリ）アルキレングリコールから全ての水酸基を除いた残基が挙げられる。
【００４５】
化２で示される脂肪族エステル化合物において、化２中のＲ３は、化１中のＲ１について前記したことと同じである。また化２中のＲ４は、カプロン酸、カプリル酸、カプリン酸、ウンデカン酸、ラウリン酸、トリデカン酸、ミリスチン酸、ペンタデカン酸、パルミチン酸、ステアリン酸、パルミトレイン酸、オレイン酸、イソオクタン酸、イソヘキサデカン酸、イソオクタデカン酸等の炭素数８〜１８の脂肪族モノカルボン酸から水酸基を除いた残基である。
【００４６】
以上説明したＧ成分を含有する場合、本発明の処理剤は、基油組成物１００重量部当たり、該Ｇ成分を５〜４０重量部の割合で含有するものとするが、該Ｇ成分を５〜３０重量部の割合で含有するものとするのが好ましい。
【００４７】
本発明の処理剤は、更に下記のＨ成分及び／又はＩ成分を含有するものとするのが好ましい。
【００４８】
Ｈ成分：ポリオキシアルキレン変性シリコーン及び又はジメチルシリコーン
【００４９】
Ｉ成分：フェノール系酸化防止剤、ホスファイト系酸化防止剤及びチオエーテル系酸化防止剤から選ばれる一つ又は二つ以上
【００５０】
Ｈ成分としては、１）ポリオキシアルキレン変性シリコーン、２）ジメチルシリコーン、３）前記１）と２）との混合物が挙げられるが、１）ポリオキシアルキレン変性シリコーンが好ましい。前記１）のポリオキシアルキレン変性シリコーンとしては、それを構成するオキシアルキレン単位がオキシエチレン単位及び／又はオキシプロピレン単位であるポリオキシアルキレン基を有するポリオキシアルキレン変性シリコーンであって、且つ該ポリオキシアルキレン基／シリコーン鎖＝２５／７５〜９０／１０（重量比）の割合で有するポリオキシアルキレン変性シリコーンが好ましい。かかるポリオキシアルキレン変性シリコーンとしては、１）ポリオキシエチレン変性シリコーン、２）ポリオキシプロピレン変性シリコーン、３）ポリオキシエチレンポリオキシプロピレン変性シリコーンが挙げられるが、なかでもそれを構成する全オキシアルキレン単位の２５重量％以上がオキシエチレン単位であるポリオキシアルキレン基を有するものがより好ましい。以上説明した好ましいポリオキシアルキレン変性シリコーンにおいても、ポリオキシアルキレン基／シリコーン鎖＝２５／７５〜９０／１０（重量比）の割合で有するものが好ましく、３０／７０〜８５／１５（重量比）の割合で有するものがより好ましい。またその数平均分子量は、２５００〜５００００のものが好ましい。
【００５１】
またＨ成分としてのジメチルシリコーンとしては、３０℃における粘度が１×１０−６〜１×１０−４ｍ２／ｓの線状ジメチルシリコーンが好ましい。
【００５２】
Ｉ成分としては、１）フェノール系酸化防止剤、２）ホスファイト系酸化防止剤、３）チオエーテル系酸化防止剤、４）前記１）〜３）の二つ以上の混合物が挙げられるが、１）フェノール系酸化防止剤が好ましい。
【００５３】
Ｉ成分としてのフェノール系酸化防止剤としては、いずれも公知の、トリエチレングリコール−ビス［３−（３−ｔ−ブチル−５−メチル−４−ヒドロキシフェニル）プロピオネート］、１，３，５−トリメチル−２，４，６−トリス（３，５−ジ−ｔ−ブチル−４−ヒドロキシベンジル）ベンゼン、１，６−ヘキサンジオール−ビス［３−（３，５−ジ−ｔ−ブチル−４−ヒドロキシフェニル）プロピオネート］、ペンタエリスリトール−テトラキス［３−（３，５−ジ−ｔ−ブチル−４−ヒドロキシフェニル）プロピオネート］、２，２’−メチレン−ビス−（６−ｔ−ブチル−４−メチルフェノール）、２，２’−ブチリデン−ビス−（６−ｔ−ブチル−４−メチルフェノール）、１，１，３−トリス（２−メチル−４−ヒドロキシ−５−ｔ−ブチルフェノール）ブタン、１，３，５−トリス（３’，５’−ジ−ｔ−ブチル−４−ヒドロキシベンジル）イソシアヌル酸、１，３，５−トリス（４−ブチル−３−ヒドロキシ−２，６−ジメチルベンジル）イソシアヌル酸等が挙げられる。
【００５４】
Ｉ成分としてのホスファイト系酸化防止剤としては、いずれも公知の、オクチルジフェニルホスファイト、トリスノニルフェニルホスファイト、テトラトリデシル−４，４’−ブチリデン−ビス−（２−ｔ−ブチル−５−メチルフェノール）ジホスファイト、モノ（ジノニルフェニル）ホスファイト、ジ（ｐ−ノニルフェニル）ホスファイト等が挙げられる。
【００５５】
Ｉ成分としてのチオエーテル系酸化防止剤としては、いずれも公知の、４，４’−チオビス−（６−ｔ−ブチル−３−メチルフェノール）、ジラウリル−３，３’−チオジプロピオネート等が挙げられる。
【００５６】
以上説明したＨ成分及び／又はＩ成分を含有する場合、本発明の処理剤は、基油組成物１００重量部当たり、該Ｈ成分及び／又は該Ｉ成分を合計で０．３〜６重量部の割合で含有するものとするが、該Ｈ成分を０．５〜３重量部の割合で含有し、且つ該Ｉ成分を０．５〜３重量部の割合で含有するものとするのが好ましい。
【００５７】
本発明の処理剤は、本発明の効果を損なわない範囲において、他の成分を含有することができる。かかる成分としては、乳化調整剤、鉱物油等の潤滑剤、消泡剤、防腐剤、防錆剤等の種々の補助剤が挙げられる。
【００５８】
次に、本発明に係る合成繊維の処理方法（以下単に本発明の処理方法という）について説明する。本発明の処理方法は、以上説明したような本発明の処理剤を合成繊維に対し０．１〜３重量％、好ましくは０．３〜１．２重量％となるよう付着させる方法である。本発明の処理剤を合成繊維に付着させる工程としては、紡糸工程、紡糸と延伸とを同時に行なう工程等が挙げられる。また本発明の処理剤を合成繊維に付着させる方法としては、ローラー給油法、計量ポンプを用いたガイド給油法、浸漬給油法、スプレー給油法等が挙げられる。更に本発明の処理剤を合成繊維に付着させる際の形態としては、ニート、有機溶剤溶液、水性液等が挙げられるが、水性液が好ましく、なかでも５〜３０重量％の水性液が好ましい。本発明の処理剤の水性液を付着させる場合も、合成繊維に対し本発明の処理剤として０．１〜３重量％、好ましくは０．３〜１．２重量％となるよう付着させる。
【００５９】
本発明の処理方法の適用対象となる合成繊維としては、１）ポリエチレンテレフタレート、ポリプロピレンテレフタレート、ポリ乳酸エステル等のポリエステル系繊維、２）ナイロン６、ナイロン６６等のポリアミド系繊維、３）ポリアクリル、モダアクリル等のポリアクリル系繊維、４）ポリエチレン、ポリプロピレン等のポリオレフィン系繊維、ポリウレタン系繊維等が挙げられるが、なかでもポリエステル系繊維又はポリアミド系繊維に適用する場合に本発明の効果の発現が高い。
【発明の効果】
【００６０】
既に明らかなように、以上説明した本発明には、近年における合成繊維の紡糸工程や加工工程での高速化にも対応して、毛羽や糸切れならびに染色斑の発生を充分に防止できるという効果がある。
【００６１】
以下、本発明の構成及び効果をより具体的にするため、実施例等を挙げるが、本発明がこれらの実施例に限定されるというものではない。尚、以下の実施例及び比較例において、部は重量部を、また％は重量％を意味する。
【実施例】
【００６２】
試験区分１（合成繊維用処理剤の調製）
・実施例１｛合成繊維用処理剤（Ｐ−１）の調製｝
下記のＡ成分７５部、Ｂ成分１３部、Ｃ成分２部及びＤ成分１０部を均一混合して、基油組成物１００部を調製し、これを合成繊維用処理剤（Ｐ−１）とした。
Ａ成分：２−エチルヘキシルアルコールにエチレンオキサイド（以下ＥＯという）とプロピレンオキサイド（以下ＰＯという）とをＥＯ／ＰＯ＝４０／６０（重量比）の割合でランダム状に付加した数平均分子量１０００のポリエーテルモノオール／ブチルアルコールにＥＯとＰＯとをＥＯ／ＰＯ＝５０／５０（重量比）の割合でランダム状に付加した数平均分子量３０００のポリエーテルモノオール／ドデシルアルコールにＥＯとＰＯとをＥＯ／ＰＯ＝７０／３０（重量比）の割合でランダム状に付加した数平均分子量３５００のポリエーテルモノオール＝４０／２０／１５（重量比）の混合物
Ｂ成分：３，５，５−トリメチルヘキシルアルコール１モル当たりＥＯを５モル付加したアルキレンオキサイド付加物
Ｃ成分：デカンスルホン酸カリウム／α−ドデシル−ω−ヒドロキシポリ（オキシエチレン）（オキシエチレン単位の繰り返し数３、以下ｎ＝３という）のリン酸エステルカリウム／シス−９−オクタデセン酸カリウム＝０．５／１／０．５（重量比）の混合物
Ｄ成分：シス−９−オクタデセン酸１モル当たりＥＯを７モル付加した非イオン界面活性剤／硬化ヒマシ油１モル当たりＥＯを２０モル付加した非イオン界面活性剤＝５／５（重量比）の混合物
【００６３】
・実施例２〜３６及び比較例１〜２８｛合成繊維用処理剤（Ｐ−２）〜（Ｐ−３６）及び（Ｒ−１）〜（Ｒ−２８）の調製｝
実施例１の合成繊維用処理剤（Ｐ−１）と同様にして、実施例２〜３６の合成繊維用処理剤（Ｐ−２）〜（Ｐ−３６）及び比較例１〜２８の合成繊維用処理剤（Ｒ−１）〜（Ｒ−２８）を調製した。以上の各例の合成繊維用理剤の調製に用いた成分の内容を表１〜表８に、また以上の各例で調製した合成繊維用処理剤の内容を表９〜表１８にまとめて示した。
【００６４】
【表１】
2006152526.tif 000004
【００６５】
表１において、
ＡＯの種類：脂肪族アルコールに付加したアルキレンオキサイドの種類
ＥＯ比率：ＡＯ中のＥＯの割合（％）
ＥＯ：エチレンオキサイド
ＰＯ：プロピレンオキサイド
ＢＯ：ブチレンオキサイド
【００６６】
【表２】
2006152526.tif 000005
【００６７】
【表３】
2006152526.tif 000006
【００６８】
【表４】
2006152526.tif 000007
【００６９】
表４において、
ｎ：オキシエチレン単位の繰り返し数
ｍ：オキシプロピレン単位の繰り返し数
これらは以下同じ
【００７０】
【表５】
2006152526.tif 000008
【００７１】
【表６】
2006152526.tif 000009
【００７２】
【表７】
2006152526.tif 000010
【００７３】
【表８】
2006152526.tif 000011
【００７４】
【表９】
2006152526.tif 000012
【００７５】
【表１０】
2006152526.tif 000013
【００７６】
【表１１】
2006152526.tif 000014
【００７７】
【表１２】
2006152526.tif 000015
【００７８】
【表１３】
2006152526.tif 000016
【００７９】
【表１４】
2006152526.tif 000017
【００８０】
【表１５】
2006152526.tif 000018
【００８１】
【表１６】
2006152526.tif 000019
【００８２】
【表１７】
2006152526.tif 000020
【００８３】
【表１８】
2006152526.tif 000021
【００８４】
表９〜表１８において、
使用量：部
＊１：合成繊維用処理剤中の基油組成物の割合（％）
＊２：Ａ成分中における１価の炭素数６〜１０の脂肪族アルコールにエチレンオキサイド及びプロピレンオキサイドを付加したアルキレンオキサイド付加物の割合（％）
＊３：Ａ成分中におけるＥ成分及びＦ成分の合計割合（％）
＊４：Ｅ成分／Ｆ成分の割合（重量比）
Ａ−１〜Ａ−１０，ａ−１〜ａ−３：表１に記載したＡ成分
Ｂ−１〜Ｂ−４：表２に記載したＢ成分
Ｃ−１〜Ｃ−６：表３に記載したＣ成分
Ｄ−１〜Ｄ−９：表４に記載したＤ成分
Ｇ−１〜Ｇ−２：表５に記載したＧ成分
Ｈ−１〜Ｈ−３：表６に記載したＨ成分
Ｉ−１〜Ｉ−４：表７に記載したＩ成分
Ｊ−１〜Ｊ−３：表８に記載した他成分
【００８５】
試験区分２（合成繊維への合成繊維用処理剤の付着、仮撚加工及び評価）
・合成繊維への合成繊維用処理剤の付着
試験区分１で調製した各例の合成繊維用処理剤と希釈水とを均一混合して合成繊維用処理剤の１０％水性液とした。固有粘度０．６４、酸化チタン含有量０．２％のポリエチレンテレフタレートチップを常法により乾燥した後、エクストルーダーを用いて２９５℃で紡糸し、口金から吐出して冷却固化した後の走行糸条に、調製した前記の１０％水性液を、計量ポンプを用いたガイド給油法にて、走行糸条に対する合成繊維用処理剤としての付着率が表１９又は表２０記載の付着量となるよう付着させた後、ガイドで集束させ、機械的な延伸を伴うことなく３０００ｍ／分の速度で巻き取り、１２８デシテックス３６フィラメントの部分延伸糸を１０kg捲きケークとして得た。
【００８６】
・仮撚加工
前記で得たケークを用いて、下記のコンタクトヒーター式仮撚機による仮撚加工条件で仮撚加工を行なった。
・コンタクトヒーター式仮撚機による仮撚加工条件：
コンタクトヒーター式仮撚機（帝人製機社製のＳＤＳ１２００）を使用して、加工速度＝７００ｍ／分と１０００ｍ／分の２条件で、延伸倍率＝１．６５２、施撚方式＝３軸デイスク外接式摩擦方式（入り側ガイドデイスク１枚、出側ガイドデイスク１枚、硬質ポリウレタンデイスク４枚）、加撚側ヒーター＝長さ２．５ｍで表面温度２１０℃、解撚側ヒーター＝なし、目標撚り数＝３３００Ｔ／ｍの条件で、２５日間連続運転による仮撚加工を行なった。
【００８７】
・毛羽の評価
前記の仮撚加工において、仮撚加工糸を巻き取る前に、毛羽計数装置（東レエンジニアリング社製のＤＴ−１０５）にて１時間当たりの毛羽数を測定し、次の基準で評価した。結果を表１９及び表２０にまとめて示した。
ＡＡＡ：測定された毛羽数が０個
ＡＡ：測定された毛羽数が１個未満（但し、０を含まない）
Ａ：測定された毛羽数が１〜２個
Ｂ：測定された毛羽数が３〜９個
Ｃ：測定された毛羽数が１０個以上
【００８８】
・糸切れの評価
前記の仮撚加工において、連続運転の２５日間に発生した糸切れ回数を１日当たりの回数に換算し、次の基準で評価した。結果を表１９及び表２０にまとめて示した。
ＡＡＡ：発生した糸切れ回数が０回
ＡＡ：発生した糸切れ回数が０．５回未満（但し、０を含まない）
Ａ：発生した糸切れ回数が０．５〜１回未満
Ｂ：発生した糸切れ回数が１〜５回未満
Ｃ：発生した糸切れ回数が５回以上
【００８９】
・染色性の評価
上記の毛羽を測定した仮撚加工糸を用い、筒編機で直径７０mm、長さ１．２ｍの編地を作製した。作製した編地を、分散染料（日本化薬社製のカヤロンポリエステルブルーＥＢＬ−Ｅ）を用い、高圧染色法により染色した。染色した編地を、常法にしたがい水洗、還元洗浄及び乾燥した後、直径７０mm、長さ１ｍの鉄製の筒に装着して、編地表面の濃染部分の点数を肉眼で数えるという評価を５回実施し、得られた評価結果から編地１枚当たりの点数に換算し、次の基準で評価した。結果を表１９及び表２０にまとめて示した。
ＡＡＡ：濃染部分がない
ＡＡ：濃染部分が１点ある
Ａ：濃染部分が２点ある。
Ｂ：濃染部分が３〜６点ある。
Ｃ：濃染部分が７点以上ある。
【００９０】
【表１９】
2006152526.tif 000022
【００９１】
【表２０】
2006152526.tif 000023